(57)【要約】      （修正有）【課題】光線をパネルに均一に反射し、十分な輝度を提供するフロントライト・モジュール構造を提供する。【解決手段】フロントライト・モジュール構造１は、パネル２の光源２０を提供し、フロントライト・モジュール構造は光源及び導光板３０を含み、光源は出光面２１’を形成する。導光板はパネルのディスプレイパネルに設置する他に、導光板は出光面から発した光を受けてパネル上に反射する。導光板はパネルに面する第一反射面３１及び第一反射面に相対する第二反射面３２を含み、そのうち、第一反射面もしくは第二反射面は、パネルと夾角を形成して設置する。【選択図】図３
0003175385.tif 000002
【実用新案登録請求の範囲】
【請求項１】
パネルの光源を提供するフロントライト・モジュール構造において、そのうち、
出光面を形成する光源と、
該パネルのディスプレイパネルに設置する他に、該導光板は該出光面から発した光を受け、該パネル上に反射し、該導光板は該パネルに面した第一反射面及び該第一反射面に相対した第二反射面を含み、そのうち、該第一反射面もしくは該第二反射面は該パネルと夾角を形成して設置する導光板を含むことを特徴とするフロントライト・モジュール構造。
【請求項２】
前記フロントライト・モジュール構造は、更にフレームを含み、該フレームは該光源及び該導光板を結合することを特徴とする請求項１記載のフロントライト・モジュール構造。
【請求項３】
前記フロントライト・モジュール構造は、更に別の一フレームを含み、該二フレームはそれぞれ該導光板の相対する二側辺に設置することを特徴とする請求項２記載のフロントライト・モジュール構造。
【請求項４】
前記フロントライト・モジュール構造は、更に別の一光源を含み、該二光源は分離設置し、且つ該導光板の相対する二側辺にそれぞれ設置することを特徴とする請求項３記載のフロントライト・モジュール構造。
【請求項５】
前記フロントライト・モジュール構造は、更に第二導光板を含み、該第二導光板は該導光板の一側辺に設置し、該第二導光板は該光源の光を受けて反射して該出光面を形成することを特徴とする請求項１記載のフロントライト・モジュール構造。
【請求項６】
前記フロントライト・モジュール構造は、更に反射片を含み、該反射片は該導光板の一側辺に固定することを特徴とする請求項１記載のフロントライト・モジュール構造。
【請求項７】
前記光源は光学ダイオードとすることを特徴とする請求項１記載のフロントライト・モジュール構造。
【請求項８】
前記導光板は、矩形体で、且つ該導光板全体は該第二導光板の一側辺に傾斜して設置することを特徴とする請求項５記載のフロントライト・モジュール構造。
【請求項９】
前記導光板は、該出光面のパネルに近い方向から斜め設置することを特徴とする請求項１もしくは８記載のフロントライト・モジュール構造。
【請求項１０】
前記第一反射面は、パネルと夾角を形成し、該第一反射面は該光源に隣接する正斜面及び該正斜面に接続する反斜面を含み、該正斜面は該パネルに相対して右上がり斜線を備え、該反斜面は該パネルに相対して負勾配を備えることを特徴とする請求項１記載のフロントライト・モジュール構造。
【請求項１１】
前記第二反射面は、該パネルに平行することを特徴とする請求項１０記載のフロントライト・モジュール構造。
【請求項１２】
前記第二反射面は、該パネルと夾角を形成し、該第二反射面は該光源に隣接する反斜面及び該反斜面に接続する正斜面を含み、該反斜面は該パネルに相対して負勾配を備え，該正斜面は該パネルに相対して右上がり斜線を備えることを特徴とする請求項１記載のフロントライト・モジュール構造。
【請求項１３】
前記第一反射面はパネルに平行であることを特徴とする請求項１２記載のフロントライト・モジュール構造。
【請求項１４】
前記導光板の断面は三角形で、該第一反射面はパネルに平行で、該第二反射面はパネルと夾角を形成することを特徴とする請求項１記載のフロントライト・モジュール構造。
【請求項１５】
前記導光板の断面は台形を形成し、該第一反射面はパネルに平行で、該第二反射面はパネルと夾角を形成することを特徴とする請求項１記載のフロントライト・モジュール構造。
【請求項１６】
前記導光板の周辺縁は鋸歯状を形成することを特徴とする請求項１から１５記載のフロントライト・モジュール構造。
【請求項１７】
前記導光板の上表面もしくは下表面は鋸歯状であることを特徴とする請求項１から１５記載のフロントライト・モジュール構造。
【考案の詳細な説明】
【技術分野】
【０００１】
本考案は、光源モジュールに関するもので、特にフロントライト・モジュール構造に係わる。
【背景技術】
【０００２】
一般的に、ディスプレイパネルは光源モジュールが外付され、輝度を高めて光の分布を均等するのに用いるもので、均一、高輝度、ワイドビュー表示に効果がある。
【０００３】
光源モジュール設置には、ガラスウエハーとカラーフィルターの前に設置する光源モジュールにフロントライト・モジュール(Front Light Module)がある。フロントライト・モジュールは、ライトガイド構造によって点もしくは線形光源を、高輝度且つ輝度均一に転化する光源製品である。昼間もしくは環境照明が足りている状態の下で、フロントライト・モジュールは外在光源によって均一な輝度を提供することができ、外在光源が不足する時に光源を加えてパネルに正常な画像を提供する。そのため、フロントライト・モジュールを採用したディスプレイパネルは大幅な省電機能を備えるため、ＰＤＡ、スマートフォン、及び電子ブックリーダー等携帯情報設備に応用できる。
【０００４】
伝統的に、フロントライト・モジュールのライトガイド構造は、導光板のディスプレイパネルにおいて多数のマイクロ構造を成形し、該マイクロ構造は通常多数個の凹槽、V形槽、もしくは歯型槽を設置し、該マイクロ構造によって光源を均一に分布させる。
【先行技術文献】
【特許文献】
【０００５】
【特許文献１】特開２００８−７７０９０号公報
【考案の概要】
【考案が解決しようとする課題】
【０００６】
解決しようとする問題点は、該マイクロ構造のサイズは小さいため、導光板上で加工成型するのが困難で、その他、マイクロ構造は導光板の前端面に設置するだけなので、導光板は該マイクロ構造上で入射した光線は散光し、平行於底面の光線に平行し材料本体に吸收もしくはその他表面に射出してしまい、拠って導光板の導光効率が下がってしまう。
【０００７】
そのため、本考案者は、上述の目的を達成するため、研究を重ねて学理上の運用と合せ、合理的且つ上述の欠点を有効に改善する本考案を提案した。
【課題を解決するための手段】
【０００８】
本考案は、パネルの光源を提供し、フロントライト・モジュール構造は光源及び導光板を含み、光源は出光面を形成する。導光板はパネルのディスプレイパネルに設置する他に、導光板は出光面から発した光を受けてパネル上に反射する。導光板はパネルに面する第一反射面及び第一反射面に相対する第二反射面を含み、そのうち、第一反射面もしくは第二反射面は、パネルと夾角を形成して設置することを最も主要な特徴とする。
本考案は下記の特徴を有する。
（１）  パネルの光源を提供するフロントライト・モジュール構造において、そのうち、
出光面を形成する光源と、
該パネルのディスプレイパネルに設置する他に、該導光板は該出光面から発した光を受け、該パネル上に反射し、該導光板は該パネルに面した第一反射面及び該第一反射面に相対した第二反射面を含み、そのうち、該第一反射面もしくは該第二反射面は該パネルと夾角を形成して設置する導光板を含むことを特徴とするフロントライト・モジュール構造。
（２）前記フロントライト・モジュール構造は、更にフレームを含み、該フレームは該光源及び該導光板を結合することを特徴とする（１）記載のフロントライト・モジュール構造。
（３）前記フロントライト・モジュール構造は、更に別の一フレームを含み、該二フレームはそれぞれ該導光板の相対する二側辺に設置することを特徴とする（２）記載のフロントライト・モジュール構造。
（４）前記フロントライト・モジュール構造は、更に別の一光源を含み、該二光源は分離設置し、且つ該導光板の相対する二側辺にそれぞれ設置することを特徴とする（３）記載のフロントライト・モジュール構造。
（５）前記フロントライト・モジュール構造は、更に第二導光板を含み、該第二導光板は該導光板の一側辺に設置し、該第二導光板は該光源の光を受けて反射して該出光面を形成することを特徴とする（１）記載のフロントライト・モジュール構造。
（６）前記フロントライト・モジュール構造は、更に反射片を含み、該反射片は該導光板の一側辺に固定することを特徴とする（１）記載のフロントライト・モジュール構造。
（７）前記光源は光学ダイオードとすることを特徴とする（１）記載のフロントライト・モジュール構造。
（８）前記導光板は、矩形体で、且つ該導光板全体は該第二導光板の一側辺に傾斜して設置することを特徴とする（５）記載のフロントライト・モジュール構造。
（９）前記導光板は、該出光面のパネルに近い方向から斜め設置することを特徴とする（１）もしくは（８）記載のフロントライト・モジュール構造。
（１０）前記第一反射面は、パネルと夾角を形成し、該第一反射面は該光源に隣接する正斜面及び該正斜面に接続する反斜面を含み、該正斜面は該パネルに相対して右上がり斜線を備え、該反斜面は該パネルに相対して負勾配を備えることを特徴とする（１）記載のフロントライト・モジュール構造。
（１１）前記第二反射面は、該パネルに平行することを特徴とする（１０）記載のフロントライト・モジュール構造。
（１２）前記第二反射面は、該パネルと夾角を形成し、該第二反射面は該光源に隣接する反斜面及び該反斜面に接続する正斜面を含み、該反斜面は該パネルに相対して負勾配を備え，該正斜面は該パネルに相対して右上がり斜線を備えることを特徴とする（１）記載のフロントライト・モジュール構造。
（１３）前記第一反射面はパネルに平行であることを特徴とする（１２）記載のフロントライト・モジュール構造。
（１４）前記導光板の断面は三角形で、該第一反射面はパネルに平行で、該第二反射面はパネルと夾角を形成することを特徴とする（１）記載のフロントライト・モジュール構造。
（１５）前記導光板の断面は台形を形成し、該第一反射面はパネルに平行で、該第二反射面はパネルと夾角を形成することを特徴とする（１）記載のフロントライト・モジュール構造。
（１６）前記導光板の周辺縁は鋸歯状を形成することを特徴とする（１）から（１５）記載のフロントライト・モジュール構造。
（１７）前記導光板の上表面もしくは下表面は鋸歯状であることを特徴とする（１）から（１５）記載のフロントライト・モジュール構造。
【考案の効果】
【０００９】
本考案のフロントライト・モジュール構造は、光線をパネルに均一に反射し、十分な輝度を提供するという利点がある。
【図面の簡単な説明】
【００１０】
【図１】本考案のフロントライト・モジュール構造の立体外観指示図である。
【図２】本考案のフロントライト・モジュール構造の俯瞰図である。
【図３】本考案のフロントライト・モジュール構造の光源反射指示図である。
【図４】本考案のフロントライト・モジュール構造の第二実施例である。
【図５】本考案のフロントライト・モジュール構造の第三実施例である。
【図６】本考案のフロントライト・モジュール構造の第四実施例である。
【図７】本考案のフロントライト・モジュール構造の第五実施例である。
【図８】本考案のフロントライト・モジュール構造の第六実施例である。
【図９】本考案のフロントライト・モジュール構造の第七実施例である。
【図１０】本考案の導光板の俯瞰図である。
【図１１】本考案の導光板の前視図である。
【図１２】本考案の導光板の応用指示図である。
【考案を実施するための形態】
【００１１】
光線をパネルに均一に反射して十分な輝度を提供するフロントライト・モジュール構造を提供することを本考案の一目的とする。
【００１２】
上述の目的を達成するため、本考案のフロントライト・モジュール構造は、パネルの光源を提供する。フロントライト・モジュール構造は、光源及び導光板を含み、光源は出光面を形成する。導光板はパネルのディスプレイパネルに設置する他に、導光板は出光面から発した光を受けてパネル上に反射し、導光板はパネルに面する第一反射面及び第一反射面に相対する第二反射面を含み、そのうち、第一反射面もしくは第二反射面とパネルは夾角を形成して設置する。
【００１３】
公知と比較して、本考案のフロントライト・モジュール構造の導光板は、パネルに面する第一反射面及び第一反射面に相対する第二反射面を含み、第一反射面もしくは第二反射面をパネルと夾角に形成して設置する。公知の導光板の外端面(本考案の第二反射面に相当する)に成形して光源を反射するマイクロ構造に取って代わり、導光板上で加工成型する工程を節約する。更に本考案の第一反射面もしくは第二反射面を斜面にすることで光源が発した大部分の光線を反射し、光線を該パネルに均一に反射し、これに拠って、導光板的導光効率を高め、パネルに十分な輝度を提供し、本考案の実用性を高める。
【実施例１】
【００１４】
本考案に関する詳細な説明及び技術内容を、図式と共に、実施例を挙げて以下に説明する。但し、図式は説明のための参考に過ぎず、本考案を制限するものではない。
【００１５】
図１及び図２に示すのは、本考案のフロントライト・モジュール構造の立体外観指示図及び俯瞰図である。本考案のフロントライト・モジュール構造１は、パネル２に光源を提供するのに用い、該フロントライト・モジュール構造１は光源２０及び導光板３０、及び第二導光板４０を含む。
【００１６】
該光源２０は、光学ダイオードで、例として発光ダイオード(Light Emitting Diode, LED )もしくはレーザーダイオード(Lａser Diode, LD)とし、実際の実施時はその制限を受けない。該光源２０はまた冷陰極蛍光ランプ等その他の光源を設置してもよく、該光源２０は出光面２１を形成する。
【００１７】
該導光板３０及び該第二導光板４０は、高反射率を備え、且つ吸光しない材料で構成される。該導光板３０は該パネル２のディスプレイパネルに設置されるほかに、該導光板３０は該出光面２１からの光を受けるのに用い、更に該パネル２上に反射する。本実施例に於いて、該第二導光板４０は該導光板３０の一側辺に設置し、該第二導光板４０は該光源２０が発する光(点光源)を受け、別の一出光面２１’ (面光源)を形成して反射し、均一な光源を提供する。
【００１８】
その他、該導光板３０は該パネル２に面した第一反射面３１及び該第一反射面３１に相対した第二反射面３２を含む。そのうち、該第一反射面３１もしくは該第二反射面３２は、該パネル２と夾角を形成して設置する。本実施例に於いて、該導光板３０は矩形体であり、且つ該導光板３０全体は該第二導光板４０の一側辺に傾斜して設置し、該導光板３０は該出光面２１’から該パネル２に近い方向に向けて斜めに設置する。
【００１９】
図３に示すのは、為本考案のフロントライト・モジュール構造の光源反射指示図である。本実施例に於いて、該フロントライト・モジュール構造１はフレーム１０を設置し、該光源２０、該導光板３０及び該第二導光板４０は該フレーム１０上に固定する。図３に示すとおり、該光源２０は該フレーム１０の一側辺に固定し、該光源２０が発する光線は該第二導光板４０によって該導光板３０へ反射する。即ち、該第二導光板４０は該光源２０から発した光を受け、反射して該出光面２１’形成し、該出光面２１’から発した光は再び該導光板３０へ照射し、最後に該導光板３０を経て該パネル２上へ反射する。該導光板３０全体は該出光面２１’の該パネル２に接する方向に斜置し、該第一反射面３１は斜面であるため、その大部分の光線が反射し、光線を該パネル２に均一に反射して十分な輝度を提供する。
【００２０】
更に、外部光線が十分に足りる場合、外部光線が該導光板３０に射しこみ、該パネル２上に入射するため、該光源２０が稼働しない状態でも該パネル２に十分な輝度を提供する。
【実施例２】
【００２１】
図４及び図５は、本考案のフロントライト・モジュール構造の第二、第三実施例である。第二実施例に於いて、フロントライト・モジュール構造１ａは、フレーム１０ａ、光源２０ａ、導光板３０ａ、及び第二導光板４０ａを含む。該第二導光板４０ａは、該光源２０ａが発した光を受け、反射して出光面２１ａ’を形成する。本実施例と第一実施例が異なる点は、該導光板３０ａの設置様態である。
【実施例３】
【００２２】
図４に於いて、該導光板３０ａは、パネル２ａに面した第一反射面３１ａ及び該第一反射面３１ａに相対する第二反射面３２ａを含む。該第一反射面３１ａと該パネル２ａは夾角を形成する。該第二反射面３２ａは該パネル２ａと平行する。そのうち、該第一反射面３１ａは該出光面２１ａ’に隣接する正斜面３１１ａ及び該正斜面に接続する反斜面３１２ａを含む。該パネル２ａに相対する該正斜面３１１ａは右上がり斜線を備え、該パネル２ａに相対する該反斜面３１２ａは負勾配を備え、その正斜面３１１ａ及び反斜面３１２ａの設置は反射該出光面２１ａ’が発した光線に有利である。
【００２３】
図５に示すとおり、フロントライト・モジュール構造１ｂは、フレーム１０ｂ、光源２０ｂ、導光板３０ｂ、及び第二導光板４０ｂを含む。該第二導光板４０ｂは該光源２０ｂが発した光を受け、反射して出光面２１ｂ’を形成する。該導光板３０ｂはパネル２ｂに面した第一反射面３１ｂ及び該第一反射面３１ｂに相対した第二反射面３２ｂを含む。該第一反射面３１ｂは、該パネル２ｂに平行に設置し、該第二反射面３２ｂは、該パネル２ｂと夾角を形成する。そのうち、該第二反射面３２ｂは該出光面２１ｂ’に隣接する反斜面３２１ｂ及び該反斜面３２１ｂに接続する正斜面３２２ｂを含み、該パネル２ｂに相対する該反斜面３２１ｂは負勾配を備え，該パネル２ｂに相対する該正斜面３２２ｂは右上がり斜線を備える。
【実施例４】
【００２４】
図６は本考案のフロントライト・モジュール構造の第四実施例である。本実施例と第二実施例は、ほぼ同じであり、異なる点として、フロントライト・モジュール構造１ｃが分離設置する二フレーム１０ｃ、１０ｃ’、二光源２０ｃ、２０ｃ’、及び二第二導光板４０ｃ、４０ｃ’を含み、該二第二導光板４０ｃ、４０ｃ’は、それぞれ該二光源２０ｃ、２０ｃ’が発した光を受けて反射して出光面２１ｃ’を形成し、該二フレーム１０ｃ、１０ｃ’及び二光源２０ｃ、２０ｃ’は、それぞれ該導光板３０ｃに相対する二側辺に設置する点である。
【実施例５】
【００２５】
図７及び図８は本考案のフロントライト・モジュール構造の第五、第六実施例である。第五実施例に於いて、フロントライト・モジュール構造１ｄは、フレーム１０ｄ、光源２０ｄ、導光板３０ｄ、及び第二導光板４０ｄを含む。該第二導光板４０ｄは、該光源２０ｄが発した光を受け、反射して出光面２１ｄ’を形成する。本実施例と第一実施例の異なる点は、該導光板３０ｄに設置する状態である。
【実施例６】
【００２６】
図７に於いて、該導光板３０ｄの断面は三角形で、該導光板３０ｄは、パネル２ｄに面する第一反射面３１ｄ及び該第一反射面３１ｄに相対する第二反射面３２ｄを含み、該第一反射面３１ｄは該パネル２ｄに平行で、該第二反射面３２ｄは該パネル２ｄと夾角を形成する。
【００２７】
図８に於いて、フロントライト・モジュール構造１ｅは、同様にフレーム１０ｅ、光源２０ｅ、導光板３０ｅ、及び第二導光板４０ｅを含み、該第二導光板４０ｅは該光源２０ｅが発した光を受け反射して出光面２１ｅ’を形成する。本実施例と前一実施例の異なる点は該導光板３０ｅの断面が台形である点である。
【実施例７】
【００２８】
図９は、本考案のフロントライト・モジュール構造の第七実施例である。本実施例に於いて、フロントライト・モジュール構造１ｆは、光源２０ｆ、及び導光板３０ｆを含む。本実施例と第一実施例の異なる点は該光源２０ｆに多数個の光学ダイオードを含み、且つ各該光学ダイオードはそれぞれ出光面２１ｆを備える。その他、該フロントライト・モジュール構造１ｆは更に第二導光板４０ｆ及び少なくとも一反射片5０ｆを含み、該第二導光板４０ｆは該些光源２０ｆが発した光を受けて反射し出光面２１ｆ’を形成する。また該反射片5０ｆは該導光板３０ｆの一側辺に固定し、該光源２０ｆが発した光を集めて，該フロントライト・モジュール構造１ｆの輝度を更に高める。
【００２９】
図１０及び図１１は、本考案の導光板の俯瞰図及び前視図である。本考案の導光板３０’の周辺縁３０１’は、すべて鋸歯状に設置して反射率を高めて該導光板３０’の反射効果を高める。特に、導光板３０’の上表面３０２’もしくは下表面３０３’にも鋸歯状で設置してもよく、同様に反射効果を高める。
【００３０】
図１２は、本考案のフロントライト・モジュール構造の応用指示図である。本考案のフロントライト・モジュール構造１は携帯式通信設備３内に結合し、該携帯式通信設備３の光源モジュールとする。
【００３１】
以上は本考案の良好な実施例にすぎず、本考案の請求範囲を制限するものではない。その他、本考案の考案精神と同効果を運用した変化及び入替はすべて本考案の請求範囲とする。
【符号の説明】
【００３２】
１       フロントライト・モジュール構造
１ａ     フロントライト・モジュール構造
１ｂ     フロントライト・モジュール構造
１ｃ     フロントライト・モジュール構造
１ｄ     フロントライト・モジュール構造
１ｅ     フロントライト・モジュール構造
１ｆ     フロントライト・モジュール構造
１０        フレーム
１０ａ      フレーム
１０ｂ      フレーム
１０ｃ      フレーム
１０ｃ’    フレーム
１０ｄ      フレーム
１０ｅ      フレーム
２       パネル
２ａ     パネル
２ｂ      パネル
２ｄ      パネル
２ｅ     パネル
２０        光源
２０ａ      光源
２０ｂ      光源
２０ｃ      光源
２０ｃ’    光源
２０ｄ      光源
２０ｅ      光源
２０ｆ     光源
２１        出光面
２１’      出光面
２１ａ’    出光面
２１ｂ’    出光面
２１ｃ’    出光面
２１ｄ’    出光面
２１ｅ’    出光面
２１ｆ’   出光面
３       携帯式通信設備
３０        導光板
３０ａ      導光板
３０ｂ      導光板
３０ｃ      導光板
３０ｄ      導光板
３０ｅ      導光板
３０ｆ     導光板
３０’      導光板
３０１’      周辺縁
３０２’      上表面
３０３’      下表面
３１        第一反射面
３１ａ      第一反射面
３１ｂ      第一反射面
３１ｃ      第一反射面
３１ｄ      第一反射面
３１ｅ     第一反射面
３１１ａ      反斜面
３１２ａ      正斜面
３２        第二反射面
３２ａ      第二反射面
３２ｂ      第二反射面
３２ｃ      第二反射面
３２ｄ      第二反射面
３２ｅ     第二反射面
３２１ｂ      正斜面    
３２２ｂ      反斜面
４０        第二導光板
４０ａ      第二導光板
４０ｂ      第二導光板
４０ｃ      第二導光板
４０ｃ’     第二導光板
４０ｄ      第二導光板
４０ｅ     第二導光板
【図１】
0003175385.tif 000003
【図２】
0003175385.tif 000004
【図３】
0003175385.tif 000005
【図４】
0003175385.tif 000006
【図５】
0003175385.tif 000007
【図６】
0003175385.tif 000008
【図７】
0003175385.tif 000009
【図８】
0003175385.tif 000010
【図９】
0003175385.tif 000011
【図１０】
0003175385.tif 000012
【図１１】
0003175385.tif 000013
【図１２】
0003175385.tif 000014